(57)【特許請求の範囲】
【請求項１】
可動体と、該可動体の所望の移動範囲に沿って配置されるスライドレールと、該スライドレール内に配置され該スライドレールに沿って移動可能な保持部と、前記可動体と前記保持部とを連結する連結部とによって構成されるロック機構において、
前記連結部は、前記可動体と前記保持部とを連結する１つのアームであり、
前記保持部は、前記スライドレールの幅よりも小さい径を有し、前記スライドレールの幅方向の前記可動体側の一方の側壁に接触する第１の接触部と前記スライドレールの幅方向の他方の側壁に接触する第２の接触部を有し、さらにその頭部近傍に前記アームの一方の端部によって回動自在に保持される移動支点を有する円形部と、該円形部から前記スライドレールの他方の側壁側に延出する延出部とによって構成される勾玉形状板からなり、
前記他方の側壁には、前記可動体の移動方向に所定の間隔で複数のロック穴が形成され、
前記アームによって勾玉形状板が他方の側壁側に押されて第２の接触部が他方の側壁によって押されたときに、前記延出部が前記ロック穴から離脱して勾玉形状板がスライドレール中を移動可能となり、前記アームによって勾玉形状板が一方の側壁側に押されて第１の接触部が一方の側壁によって押されたときに、前記延出部が前記ロック穴に噛合して、前記勾玉形状板が所定の位置に固定されることを特徴とするロック機構。
【請求項２】
前記アームと前記勾玉形状板の円形部との連結は、前記移動支点に配置される第１の回転ジョイントと、該回転ジョイントの近傍に位置して前記勾玉形状板を回動自在に保持する第２の回転ジョイントによって行われることを特徴とする請求項１記載のロック機構。
【請求項３】
前記アームと共に、前記可動体から前記スライドレール内に延出して前記可動体を保持する補助アームを設け、前記可動体の移動方向は上下方向であり、前記可動体の自重によって勾玉形状板が一方の側壁側に押されて第１の接触部が一方の側壁によって押されたときに、前記延出部が前記ロック穴に噛合して、前記勾玉形状板が所定の位置に固定されることを特徴とする請求項１又は２に記載のロック機構。
【請求項４】
可動体と、該可動体の所望の移動範囲に沿って配置されるスライドレールと、該スライドレール内に配置される該スライドレールに沿って移動可能な保持部と、前記可動体と前記保持部とを連結する連結部とによって構成されるロック機構において、
前記保持部は、それぞれが、前記スライドレールの幅よりも小さい径を有し、前記スライドレールの幅方向の前記可動体側の一方の側壁に接触する第１の接触部と前記スライドレールの幅方向の他方の側壁に接触する第２の接触部を有する円形部と、該円形部から前記スライドレールの他方の側壁側に延出する延出部とによって構成される一対の勾玉形状板からなり、該一対の勾玉形状板は、お互いの円形部が移動支点によって回転自在に保持され、
前記連結部は、前記可動体とそれぞれの勾玉形状板を連結し、前記移動支点を中心としてＸ状に交差する一対のアームによって構成され、
前記他方の側壁には、前記可動体の移動方向に所定の間隔で複数のロック穴が形成され、
前記一対のアームによって勾玉形状板が他方の側壁側に押されて第２の接触部が他方の側壁によって押されたときに、前記延出部が前記ロック穴から離脱して勾玉形状板がスライドレール中を移動可能となり、前記アームによって勾玉形状板が一方の側壁側に押されて第１の接触部が一方の側壁によって押されたときに、前記延出部が前記ロック穴に噛合して、前記勾玉形状板が所定の位置に固定されることを特徴とするロック機構。
【請求項５】
前記可動体の移動方向は水平方向であり、前記一対のアームによって勾玉形状板が一方の側壁側に押されて第１の接触部が一方の側壁によって押されたときに、前記延出部が前記ロック穴に噛合して、前記勾玉形状板が所定の位置に固定されることを特徴とする請求項４記載のロック機構。
【請求項６】
可動体と、該可動体の所望の移動範囲に沿って配置されるスライドレールと、該スライドレール内に配置される該スライドレールに沿って移動可能な保持部と、前記可動体と前記保持部とを連結する連結部とによって構成されるロック機構において、
前記連結部は、前記可動体と前記保持部とを連結する１つのアームであり、
前記保持部は、前記スライドレールの幅よりも小さい径を有し、前記スライドレールの幅方向の前記可動体側の一方の側壁に接触する第１の接触部と前記スライドレールの幅方向の他方の側壁に接触する第２の接触部を有し、さらにその頭部近傍に前記アームの一方の端部によって回動自在に保持される移動支点を有する円形部と、該円形部から前記スライドレールの他方の側壁側に延出し、先端が所定の摩擦力を有する保持構造を有する延出部とによって構成される勾玉形状板からなり、
前記アームによって勾玉形状板が他方の側壁側に押されて第２の接触部が他方の側壁によって押されたときに、前記延出部が前記他方の側壁から離脱して勾玉形状板がスライドレール中を移動可能となり、前記アームによって勾玉形状板が一方の側壁側に押されて第１の接触部が一方の側壁によって押されたときに、前記延出部が前記他方の側壁に所定の摩擦抵抗で押圧されて、前記勾玉形状板が所定の位置に固定されることを特徴とするロック機構。
【請求項７】
前記保持構造は、前記延出部の先端を所定の摩擦力を有する素材で形成し、前記他方の側壁が摩擦力を有する硬質材であることを特徴とする請求項６記載のロック機構。
【請求項８】
前記保持構造は、前記延出部の先端に一定の角度内で回転するために設けられる回動部と、該回動部の先端に設けられる摩擦力を有する素材とによって構成されることを特徴とする請求項６記載のロック機構。
【請求項９】
可動体としての外筒と、該外筒の所望の移動範囲に沿って該外筒内に入れ子状に挿入されるスライドレールとしての内筒と、該内筒内に配置され該内筒に沿って相対的に移動可能な保持部と、前記外筒と前記保持部とを連結する連結部とによって構成されるロック機構において、
前記連結部は、前記外筒と前記保持部とを連結する固定アームと、前記保持部を作動させる移動ロッドであり、
前記保持部は、前記内筒の幅よりも小さい径を有し、前記内筒の幅方向の一方の側壁に接触する第１の接触部と前記内筒の幅方向の他方の側壁に接触する第２の接触部を有し、さらにその頭部近傍に前記移動ロッドの一方の端部によって回動自在に保持される移動支点を有する円形部と、該円形部から前記内筒の他方の側壁側に延出する延出部とによってそれぞれが構成される一対の勾玉形状板からなり、
前記内筒の他方の側壁には、該内筒の移動方向に沿って所定の間隔で複数のロック穴が形成され、
前記移動ロッドによってそれぞれの勾玉形状板が他方の側壁側に押されて第２の接触部が前記内筒の他方の側壁によって押されたときに、前記延出部が前記ロック穴から離脱して勾玉形状板が前記内筒中を移動可能となり、前記移動ロッドによってそれぞれの勾玉形状板が前記内筒の一方の側壁側に押されて第１の接触部が一方の側壁によって押されたときに、前記延出部が前記ロック穴に噛合して、前記勾玉形状板が所定の位置に固定されることを特徴とするロック機構。
【請求項１０】
前記保持部は、前記可動体からスライドレール内に延出するアームの両側に設けられ、これに対応してスライドレールには、ロック穴が平行に設けられることを特徴とする請求項１〜９のいずれか１つに記載のロック機構。
【発明の詳細な説明】
【技術分野】
【０００１】
本発明は、スライドレールを移動させる可動体を、スライドレールの所定の位置に停止させるためのスライドレールのロック機構に関する。
【背景技術】
【０００２】
特許文献１（特開２００５−１３３２８６号公報）は、複数のボール列を持ち、該ボール列を平行で水平に位置するように配置し、ボールの斜めしたから支持するように、アウターメンバーの両側にレールを形成し、ボールを介して前記レールと対向する位置に斜め上から抑えるレールをインナーメンバー両側に形成し、複数のボールを列状に整列保持するボールリテーナからなるスライドレールを開示する。
【０００３】
特許文献２（特開２０１０−２６４１６２号公報）に開示されるスライドレールは、アウターメンバーとインナーメンバーによって構成されるもので、前記アウターメンバーは、アウターベース部と、その幅方向両端において断面略円弧上に形成した左右一対のアウター案内部とを有し、インナーメンバーは、インナーベース部と、その幅方向両側において断面略円弧状に形成した左右一対のインナー案内部とを有し、前記アウターメンバーとインナーメンバーとが、左右一対のアウター案内部とインナー案内部との間に円柱状の摺動部材を介在させて組み合わせて構成されるもので、摺動部材との間に生じる摩擦力により両者の相対位置を維持できるよう構成されるものである。このように、特許文献２に開示されるスライドレールでは、斜め方向や上下方向のスライドを摩擦力を使って停止させるようにしたことを特徴とするものである。
【０００４】
特許文献３（特開２０１５−１０３８２２号公報）は、簡単な操作で高さ調整可能なマイクロホンスタンドを開示する。この特許文献３に開示されるマイクロホンスタンドにおいて、マイクロホンの支柱部は、一方の内部に他方が軸心方向にスライド可能に挿入されて軸心方向に連結される２本の角筒状の連結パーツを備え、一方の連結パーツの角部には、マイクロホンスタンドの高さ方向に並んだ複数の高さ調整用スリットが形成され、他方の連結パーツにはマイクロホンスタンドの高さ方向への２本の連結パーツのスライドにより複数の高さ調整用スリットを通過する位置に連結用スリットが形成されており、２本の連結パーツのスライドにより位置合わせされた２つのスリット内部に、マイクロホンのコードが押し込まれて固定するようになっているものである。
【先行技術文献】
【特許文献】
【０００５】
【特許文献１】特開２００５−１３３２８６号公報
【特許文献２】特開２０１０−２６４１６２号公報
【特許文献３】特開２０１５−１０３８２２号公報
【発明の概要】
【発明が解決しようとする課題】
【０００６】
特許文献１に開示されるように、キャビネットの棚、机の引き出し、コピー機の給紙トレイなどを前後に移動させるために使用されるスライドレールは、引き出し量を調整するためのロック機構を有さないが、特許文献２に開示されるスライドレールでは、アウターメンバーとインナーメンバーとが、摺動部材との間に生じる摩擦力により両者の相対位置を維持するものである。しかしながら、特許文献２に開示される構造では、高さ方向での位置調整には、保持力が不足するという課題を有する。
【０００７】
特許文献３で開示されるマイクスタンドでは、マイクロホンのコードを２つの連結パーツの合わさったスリットに差し込むことによってスタンドの高さを調整することができるが、簡単に位置調整ができるものではなく、また全てのスライドレールにて使用できるものではないという不具合がある。
【０００８】
したがって、本発明は、スライドレールの双方向に容易に移動可能であると同時に、可動体を所定の位置で容易にロックすることのできるスライドレールのロック機構を提供するものである。
【課題を解決するための手段】
【０００９】
本発明は、スライドレールのロック機構として、略円形状の円形部と、この円形部から一方の側に屈曲しながら延出する延出部とによって構成される勾玉形状の勾玉形状板を使用することを特徴とするものである。尚、前記勾玉形状板の形状は、円運動を直線運動に変換するためのカムの形状に類似しているが、本発明はカムとしてではなく、ロック機構として使用されるものである。
【００１０】
本発明の第１の様相によれば、本発明は、可動体と、該可動体の所望の移動範囲に沿って配置されるスライドレールと、該スライドレール内に配置され該スライドレールに沿って移動可能な保持部と、前記可動体と前記保持部とを連結する連結部とによって構成されるスライドレールのロック機構において、前記連結部は、前記可動体と前記勾玉形状板の頭部近傍とを連結する１つのアームであり、前記保持部は、前記スライドレールの幅よりも小さい径を有し、前記スライドレールの幅方向の前記可動体側の一方の側壁に接触する第１の接触部と前記スライドレールの幅方向の他方の側壁に接触する第２の接触部を有し、さらにその頭部近傍に前記アームの一方の端部によって回動自在に保持される移動支点を有する前記円形部と、該円形部から前記スライドレールの他方の側壁側に延出する延出部とによって構成される勾玉形状板からなり、前記他方の側壁には、前記可動体の移動方向に所定の間隔で複数のロック穴が形成され、前記アームによって勾玉形状板が他方の側壁側に押されて第２の接触部が他方の側壁によって押されたときに、前記延出部が前記ロック穴から離脱して勾玉形状板がスライドレール中を移動可能となり、前記アームによって勾玉形状板が一方の側壁側に押されて第１の接触部が一方の側壁によって押されたときに、前記延出部が前記ロック穴に噛合して、前記勾玉形状板が所定の位置に固定されることにある。
【００１１】
以上の構成により、本発明の第１の様相によれば、勾玉形状板の可動支点を一方の側壁側に移動させた場合に、第１の接触部が一方の側壁によって押されて延出部の先端が所定の位置のロック穴に噛合して可動体の移動がロックされ、また、勾玉形状板の可動支点を他方の側壁側に移動させた場合に、第２の接触部が他方の側壁によって押されて延出部の先端がロック穴から離脱するので、可動体は自由に移動することができるようになるものである。
【００１２】
さらに、前記アームと前記勾玉形状板の円形部との連結は、前記移動支点に配置される第１の回転ジョイントと、該回転ジョイントの近傍に位置して前記勾玉形状板を回動自在に保持する第２の回転ジョイントによって行われることが望ましい。
【００１３】
また、前記アームと共に、前記可動体から前記レール内に延出して前記可動体を保持する補助アームを設けることが望ましい。
【００１４】
さらにまた、前記可動体の移動方向は上下方向であり、前記可動体の自重によって勾玉形状板が一方の側壁側に押されて第１の接触部が一方の側壁によって押されたときに、前記延出部が前記ロック穴に噛合して、前記勾玉形状板が所定の位置に固定されることが望ましい。
【００１５】
また、本発明の第２の様相によれば、本発明は、可動体と、該可動体の所望の移動範囲に沿って配置されるスライドレールと、該スライドレール内に配置され、該スライドレールに沿って移動可能な保持部と、前記可動体と前記保持部とを連結する連結部とによって構成されるスライドレールのロック機構において、前記保持部は、それぞれが、前記スライドレールの幅よりも小さい径を有し、前記スライドレールの幅方向の前記可動体側の一方の側壁に接触する第１の接触部と前記スライドレールの幅方向の他方の側壁に接触する第２の接触部を有する前記円形部と、該円形部から前記スライドレールの他方の側壁側に延出する延出部とによって構成される一対の勾玉形状板からなり、該一対の勾玉形状板は、お互いの円形部が移動支点によって回転自在に保持され、前記連結部は、前記可動体とそれぞれの勾玉形状板を連結し、前記移動支点を中心としてＸ状に交差する一対のアームによって構成され、前記他方の側壁には、前記可動体の移動方向に所定の間隔で複数のロック穴が形成され、前記一対のアームによって勾玉形状板が他方の側壁側に押されて第２の接触部が他方の側壁によって押されたときに、前記延出部が前記ロック穴から離脱して勾玉形状板がスライドレール中を移動可能となり、前記アームによって勾玉形状板が一方の側壁側に押されて第１の接触部が一方の側壁によって押されたときに、前記延出部が前記ロック穴に噛合して、前記勾玉形状板が所定の位置に固定されるものである。
【００１６】
さらに、前記可動体の移動方向は水平方向であり、前記一対のアームによって勾玉形状板が一方の側壁側に押されて第１の接触部が一方の側壁によって押されたときに、前記延出部が前記ロック穴に噛合して、前記勾玉形状板が所定の位置に固定されることが望ましい。
【００１７】
本発明の第２の様相によれば、一対の勾玉形状板が、Ｘ状に交差する一対のアームによって、一対の勾玉形状板の円形部の移動支点を中心として、勾玉形状板が対称的に移動することができるものであり、上下方向の場合は前記可動体の自重によりアームが下がるが、左右方向についても同様に前記可動体の自重によりアームが下がり、これら一対のアームによって移動支点が一方の側壁側に移動され、それぞれの勾玉形状板のそれぞれの第１の接触部が一方の側壁に押しつけられることによって、それぞれの延出部の先端が所定のロック穴に噛合するので、可動体の左右方向の位置が固定されるものである。また、一対のアームによって移動支点が他方の側壁側に移動され、それぞれの勾玉形状板のそれぞれの第２の接触部が他方の側壁に押しつけられることによって、それぞれの延出部の先端がロック穴から離脱するので、可動体の上下及び左右方向の移動を可能にするものである。
【００１８】
本発明の第３の様相によれば、本発明は、可動体と、該可動体の所望の移動範囲に沿って配置されるスライドレールと、該スライドレール内に配置される該スライドレールに沿って移動可能な保持部と、前記可動体と前記保持部とを連結する連結部とによって構成されるスライドレールのロック機構において、前記連結部は、前記可動体と前記勾玉形状板の頭部近傍とを連結する１つのアームであり、前記保持部は、前記スライドレールの幅よりも小さい径を有し、前記スライドレールの幅方向の前記可動体側の一方の側壁に接触する第１の接触部と前記スライドレールの幅方向の他方の側壁に接触する第２の接触部を有し、さらにその頭部近傍に前記アームの一方の端部によって回動自在に保持される移動支点を有する前記円形部と、該円形部から前記スライドレールの他方の側壁側に延出し、先端が所定の摩擦力を有する保持構造を有する延出部とによって構成される勾玉形状板からなり、前記アームによって勾玉形状板が他方の側壁側に押されて第２の接触部が他方の側壁によって押されたときに、前記延出部が前記他方の側壁から離脱して勾玉形状板がスライドレール中を移動可能となり、前記アームによって勾玉形状板が一方の側壁側に押されて第１の接触部が一方の側壁によって押されたときに、前記延出部が前記他方の側壁に所定の摩擦抵抗で押圧されて、前記勾玉形状板が所定の位置に固定されることにある。
【００１９】
さらに、前記保持構造は、前記延出部の先端を所定の摩擦力を有する素材とし、前記他方の側壁が摩擦力を有する硬質材で形成することが好ましい。この構造によれば、延出部の先端に設けられた摩擦力を有する素材の摩擦力によって、可動体を所定の位置に保持することができるものである。
【００２０】
さらにまた、前記保持構造は、前記延出部の先端に一定の角度内で回動させるために設けられる回動部と、該回動部の先端に設けられる摩擦力を有する素材とによって構成されることが好ましい。先端部分が回動可能であるため、摩擦力を有する素材を側壁にしっかりと押圧することが可能となるものである。
【００２１】
また、本発明の第４の様相は、可動体としての外筒と、該外筒の所望の移動範囲に沿って該外筒内に入れ子状に挿入されるスライドレールとしての内筒と、該内筒内に配置され該内筒に沿って相対的に移動可能な保持部と、前記外筒と前記保持部とを連結する連結部とによって構成されるロック機構において、前記連結部は、前記外筒と前記保持部とを連結する固定アームと、前記保持部を作動させる移動ロッドであり、前記保持部は、前記内筒の幅よりも小さい径を有し、前記内筒の幅方向の一方の側壁に接触する第１の接触部と前記内筒の幅方向の他方の側壁に接触する第２の接触部を有し、さらにその頭部近傍に前記移動ロッドの一方の端部によって回動自在に保持される移動支点を有する前記円形部と、該円形部から前記内筒の他方の側壁側に延出する延出部とによってそれぞれが構成される一対の勾玉形状板からなり、前記内筒の他方の側壁には、該内筒の移動方向に沿って所定の間隔で複数のロック穴が形成され、前記移動ロッドによってそれぞれの勾玉形状板が他方の側壁側に押されて第２の接触部が前記内筒の他方の側壁によって押されたときに、前記延出部が前記ロック穴から離脱して勾玉形状板が前記内筒中を移動可能となり、前記移動ロッドによってそれぞれの勾玉形状板が前記内筒の一方の側壁側に押されて第１の接触部が一方の側壁によって押されたときに、前記延出部が前記ロック穴に噛合して、前記勾玉形状板が所定の位置に固定されることにある。また、前記一対の勾玉形状板は、上下方向に線対称に配置されることが好ましいものである。
【００２２】
これによって、前記移動ロッドが下方に押された場合には、それぞれの勾玉形状板の移動支点が下方に押されることから、前記勾玉形状板は、前記勾玉形状板の固定保持部を支点として前記噛合部がロック穴から離脱方向に回転するため、アンロック状態となり、内筒が外筒に対して移動可能となるものである。
【００２３】
また、前記移動ロッドが上方に復帰した場合、前記勾玉形状板が、前記勾玉形状板の固定保持部を支点として前記噛合部がロック穴に噛合する方向に回転するため、前記噛合部がロック穴に噛合してロック状態となるものである。
【００２４】
さらに、前記保持部は、前記可動体からスライドレール内に延出するアームの両側に設けられ、これに対応してスライドレールには、ロック穴が平行に設けられることが望ましい。
【００２５】
単体の勾玉形状板及び一対の勾玉形状板の場合、勾玉形状板の厚みが薄い場合には、ロックされてもアームと可動体が勾玉形状板の平面と直角方向に不安定になる場合がある。その際には、アームの両側に平行に勾玉形状板及び一対の勾玉形状板を配置することによって、アームと可動体を定位置に確実に固定することができるものである。
【発明の効果】
【００２６】
本発明の構成によれば、可動体をスライドレールに対して押し引きするだけで、可動体をスライドレールに対して固定し、また移動させることができるので、可動体をスライドレールに対して容易に移動させ固定できるものである。
【００２７】
さらに、スライドレールは、上下方向だけでなく左右方向にも設定することが可能であり、可動体を平面上で自在に動かすことが可能となるものである。
【００２８】
さらに、本発明に係るスライドレールのロック機構は、スライドレールが前記屈曲した形状、左右に湾曲した形状でも直線と同様に対応できるため、デザインの自由度が高く、簡易な構造で、信頼性の高いスライドレールを提供できるものである。
【００２９】
さらに、可動体及びスライドレールを、外筒及び内筒として、その内部に保持部を形成することによって、ステッキやキャリーバッグの持ち手などに利用可能なロック機構を得ることができるものである。
【００３０】
さらに、アームの両側に保持部を設けることによって、可動体の安定した保持を可能にすることができるものである。
【図面の簡単な説明】
【００３１】
【図１】本発明の第１の様相に係るスライドレールのロック機構の概略構成図である。
【図２】（ａ）は、本発明の第１の様相に係るロック機構の勾玉形状板のスライドレールへのロックを説明するための説明図で有り、（ｂ）は、勾玉形状板のスライドレールへの解除を説明するための説明図である。
【図３】本発明の第１の様相に係るロック機構において、補助アームを設けた説明図である。
【図４】本発明の第２の様相に係るスライドレールのロック機構の概略構成図である。
【図５】本発明の第３の様相に係るスライドレールのロック機構の概略構成図である。
【図６】本発明の第３の様相に係るスライドレールのロック機構の別の実施例を示した概略構成図である。
【図７】本発明のロック機構を備えたタブレットスタンドを示した説明図である。
【図８】本発明の第４の様相に係るロック機構を備えたステッキを示した説明図である。
【図９】保持部をアームの両側に設けた場合の実施例を示した説明図である。
【発明を実施するための形態】
【００３２】
以下、本発明の実施例ついて、図面により説明する。
【実施例１】
【００３３】
本発明の第１の様相に係るスライドレールのロック機構１は、例えば図１で示すように、例えばフラットディスプレイ、本、スマートフォンなどが設置される可動体２と、この可動体２の所望の移動範囲に沿って配置されるスライドレール３と、このスライドレール３内に配置され、このスライドレール３に沿って移動可能な保持部４と、前記可動体２と前記保持部４とを連結する連結部５とによって構成される。
【００３４】
前記スライドレール３は、このスライドレール３の長手方向に沿って延出する一対の側壁３１，３２によって挟まれる移動空間３０を有し、一方の側壁３１側には、前記可動体２と前記保持部とを連結するアーム５０が通過するアーム移動溝３３が形成される。
【００３５】
また、前記保持部４は、前記スライドレール３の幅よりも小さい径を有し、前記スライドレール３の幅方向の前記可動体２側の一方の側壁３１に接触する第１の接触部４３と前記スライドレール３の幅方向の他方の側壁３２に接触する第２の接触部４４を有し、さらにその頭部４７近傍に前記アーム５０の一方の端部によって回動自在に保持される移動支点４５を有する前記円形部４１と、この円形部４１から前記スライドレール３の他方の側壁３２側に延出する延出部４２とによって構成される勾玉形状板４０からなる。尚、前記延出部４２の先端は、噛合部４８を構成する。尚、前記他方の側壁３２には、前記可動体２の移動方向に所定の間隔で形成された複数のロック穴３５が設けられる。
【００３６】
また、この実施例１では、前記アーム５０と前記勾玉形状板４０の円形部４１との連結は、前記移動支点４５に配置される第１の回転ジョイント４５ａと、この回転ジョイント４５ａの近傍に位置して前記勾玉形状板４０を回動自在に保持する第２の回転ジョイント４５ｂによって行われる。また、前記第２の回転ジョイント４５ｂによって回動自在に保持されるために、前記勾玉形状板４０の円形部４１には、前記第２の回転ジョイント４５ｂを円弧状の移動範囲に形成される保持孔４６が形成される。
【００３７】
以上の構成により、図２（ａ）で示すように、前記アーム５０によって勾玉形状板４０が一方の側壁３１側に押されて第１の接触部４３が一方の側壁３１によって押されたときに、前記延出部４２の噛合部４８が前記ロック穴３５に噛合して、前記勾玉形状板４０が所定の位置に固定され、前記可動体２が所定の位置に固定されるものである。また、図２（ｂ）で示すように、前記アーム５０によって勾玉形状板４０が他方の側壁３２側に押されて第２の接触部４４が他方の側壁３２によって押されたときに、前記延出部４２の噛合部４８が前記ロック穴３５から離脱して勾玉形状板４０がスライドレール３中を移動可能となるものである。
【実施例２】
【００３８】
本発明の第１の様相の別の実施例に係るスライドレール３のロック機構１は、例えば図３で示すように、上述した構成に加えて、前記アーム５０と共に、前記可動体２から前記スライドレール３内に延出して前記可動体２を保持する補助アーム５１を設けたことを特徴とする。この補助アーム５１の先端には、前記スライドレール３の一方の側壁３１の内側に当接して前記可動体２を保持する止め具５２を具備し、これによって可動体２を２点によって保持できることから、前記可動体２を確実に保持するようにしたものである。
【００３９】
さらに、上述したように、本発明の第１の様相では、前記可動体２の移動方向は上下方向であり、前記可動体２の自重によって勾玉形状板４０が一方の側壁３１側に押されて第１の接触部４３が一方の側壁３１によって押されたときに、前記延出部４２の噛合部４８が前記ロック穴３５に噛合して、前記勾玉形状板４０が所定の位置に固定されるものである。
【実施例３】
【００４０】
本発明の第２の様相を示す実施例３に係るスライドレール３のロック機構１は、図４で示すように、可動体２と、この可動体２の所望の移動範囲に沿って配置されるスライドレール３と、該スライドレール３内に配置され、スライドレール３に沿って移動可能な保持部４と、前記可動体２と前記保持部４とを連結する連結部５とによって構成される。
【００４１】
前記保持部４は、それぞれが、前記スライドレール３の幅よりも小さい径を有し、前記スライドレール３の幅方向の前記可動体２側の一方の側壁３１に接触する第１の接触部４３ａ，４３ｂと前記スライドレール３の幅方向の他方の側壁３２に接触する第２の接触部４４ａ，４４ｂを有する前記円形部４１ａ，４１ｂと、この円形部４１ａ，４１ｂから前記スライドレール３の他方の側壁３２側に延出する延出部４２ａ，４２ｂとによって構成される一対の勾玉形状板４０ａ，４０ｂからなる。
【００４２】
前記一対の勾玉形状板４０ａ，４０ｂは、お互いの円形部４１ａ，４１ｂが移動支点４５によって回転自在に保持される。前記連結部５は、前記可動体２とそれぞれの勾玉形状板４０ａ，４０ｂを連結し、前記移動支点４５を中心としてＸ状に交差する一対のアーム５０ａ，５０ｂによって構成される。前記一対のアーム５０ａ，５０ｂのそれぞれの一方の端部は、移動支点４５を中心としてそれぞれ可動体２に回動自在にアーム固定軸５１ａ，５１ｂによって固定され、さらに一対のアーム５０ａ，５０ｂのそれぞれの他方の端部は、勾玉形状板４０ａ，４０ｂにアーム移動軸５２ａ，５２ｂによって固定されるものである。
【００４３】
前記他方の側壁３２には、前記可動体２の移動方向に所定の間隔で複数のロック穴３５が形成され、前記一対のアーム５０ａ，５０ｂによって勾玉形状板４０ａ，４０ｂが他方の側壁３２側に押されて第２の接触部４４ａ，４４ｂが他方の側壁３２によって押されたときに、前記延出部４２ａ，４２ｂが前記ロック穴３５から離脱して勾玉形状板４０ａ，４０ｂがスライドレール３中を移動可能となる。
【００４４】
前記アーム５０ａ，５０ｂによって勾玉形状板４０ａ，４０ｂが一方の側壁３１側に押されて第１の接触部４３ａ，４３ｂが一方の側壁３１によって押されたときに、前記延出部４２ａ，４２ｂが前記ロック穴３５に噛合して、前記勾玉形状板４０ａ，４０ｂが所定の位置に固定されるものである。さらに、前記可動体２の移動方向は水平方向であり、前記一対のアーム５０ａ，５０ｂが可動体２の自重によって下がることで、前記勾玉形状板４０ａ，４０ｂが一方の側壁３１側に押されて第１の接触部４３ａ，４３ｂが一方の側壁３１によって押されたときに、前記延出部４２ａ，４２ｂの噛合部４８ａ，４８ｂが前記ロック穴３５に噛合して、前記勾玉形状板４０ａ，４０ｂが所定の位置に固定されることが望ましい。
【００４５】
本発明の第２の様相によれば、一対の勾玉形状板４０ａ，４０ｂが、Ｘ状に交差する一対のアーム５０ａ，５０ｂによって、一対の勾玉形状板４０ａ，４０ｂの円形部４１ａ，４１ｂの移動支点４５を中心として、勾玉形状板４０ａ，４０ｂが対称的に移動することができるものであり、一対のアーム５０ａ，５０ｂによって移動支点４５が一方の側壁３１側に移動され、それぞれの勾玉形状板４０ａ，４０ｂのそれぞれの第１の接触部４３ａ，４３ｂが一方の側壁３１に押しつけられることによって、それぞれの延出部４２ａ，４２ｂの先端の噛合部４８が所定のロック穴３５に噛合するので、可動体２の左右方向の位置が固定されるものである。また、一対のアーム５０ａ，５０ｂによって移動支点４５が他方の側壁３２側に移動され、それぞれの勾玉形状板４０ａ，４０ｂのそれぞれの第２の接触部４４ａ，４４ｂが他方の側壁３２に押しつけられることによって、それぞれの延出部４２ａ，４２ｂの先端の噛合部４８がロック穴３５から離脱するので、可動体２の左右方向の移動を可能にするものである。
【実施例４】
【００４６】
本発明の第３の様相に係る実施例４によるスライドレールのロック機構１は、例えば図５で示すように、例えばフラットディスプレイ、本、スマートフォンなどが設置される可動体２と、この可動体２の所望の移動範囲に沿って配置されるスライドレール３と、このスライドレール３内に配置され、このスライドレール３に沿って移動可能な保持部４と、前記可動体２と前記保持部４とを連結する連結部５とによって構成される。
【００４７】
前記連結部５は、前記可動体２と前記保持部４とを連結する１つのアーム５０である。また、前記スライドレール３は、このスライドレール３の長手方向に沿って延出する一対の側壁３１，３２によって挟まれる移動空間３０を有し、一方の側壁３１側には、前記可動体２と前記保持部とを連結するアーム５０が通過するアーム移動溝３３が形成される。
【００４８】
前記保持部４は、前記スライドレール３の幅よりも小さい径を有し、前記スライドレール３の幅方向の前記可動体２側の一方の側壁３１に接触する第１の接触部４３と前記スライドレール３の幅方向の他方の側壁３２に接触する第２の接触部４４を有し、さらにその頭部近傍に前記アーム５０の一方の端部によって回動自在に保持される移動支点４５を有する前記円形部４１と、この円形部４１から前記スライドレール３の他方の側壁３２側に延出し、先端が所定の摩擦力を有する保持構造４９を有する延出部４２とによって構成される勾玉形状板４０からなる。
【００４９】
前記アーム５０によって勾玉形状板４０が他方の側壁３２側に押されて第２の接触部４４が他方の側壁３２によって押されたときに、前記延出部４２が前記他方の側壁３２から離脱して勾玉形状板４０がスライドレール３中を移動可能となり、前記アーム５０によって勾玉形状板４０が一方の側壁３１側に押されて第１の接触部４３が一方の側壁３１によって押されたときに、前記延出部４２が前記他方の側壁３２に所定の摩擦抵抗で押圧されて、前記勾玉形状板４０が所定の位置に固定されるものである。この実施例４では、前記保持構造４９は、前記延出部４２の先端を所定の摩擦力を有する摩擦力を有する素材で形成される。
【００５０】
これによって、本発明の第３の様相によれば、保持部４を保持構造４９によって他方の側壁３２に所定の摩擦力で保持することができるので、他方の側壁３２に形成されるロック穴３５を省略することができるという効果を奏するものである。
【実施例５】
【００５１】
図６で示すように、本発明の第３の様相に係る実施例５によるスライドレールのロック機構１は、上述した実施例４において、前記保持構造４９が、前記延出部４２の先端に一定の角度の範囲で回転するために回動部４９ａと、この回動部４９ａの先端に設けられる摩擦力を有する素材４９ｂとによって構成されるものである。これによって、保持構造４９の摩擦力を有する素材４９ｂを他方の側壁３２に密着させることができることから、保持構造４９の保持力を向上させることができるものである。
【実施例６】
【００５２】
実施例６は、上述した実施例１乃至５に記載されたスライドレールのロック機構１を、例えば図７で示すように、タブレットスタンド１００に利用したものを示すものである。この実施例６において、タブレットスタンド１００は、タブレット１０１を保持するためのタブレット保持部１０２を可動体２として有するものである。さらに、タブレットスタンド１００は、前記タブレット保持部１０２を移動可能に支持する支持部１０３と、支持部１０３の傾きを支える傾き調整脚１０４と、傾き調整脚１０４が噛合して支持部１０３の傾斜を調整するための複数の傾き調整凹部１０５が形成された後方底板部１０６を有する。また、後方底板部１０６の前方には、前記支持部１０３を回動自在に支持する前方底板１０７が設けられるものである。
【００５３】
また、実施例６に係るタブレットスタンド１００の支持部１０３には、本発明に係るスライドレールのロック機構１が設けられる。この実施例６では、実施例２に係るロック機構１が設けられる。この実施例６のロック機構１は、前記支持部１０３に沿ってスライドレール３が設けられ、このスライドレール３には、アーム５０を介して保持部４が装着される。また可動体２は、補助アーム５１によってスライドレール３に保持される。
【００５４】
以上の構成により、可動体２を支持部１０３のスライドレール３に対して押しつけることによってロックが解除されて、可動体２をスライドレール３に沿って移動させることができ、また可動体２を支持部１０３のスライドレール３に対して引くことによって可動体２をスライドレール３に対してロックさせることができるものである。
【実施例７】
【００５５】
図８で示される実施例７は、本発明に係るロック機構１をステッキ２００の伸縮機構に使用された例を示すものである。前記ステッキ２００は、握り部２０１と連結される外筒２０２と、その外筒２０２に入れ子状に挿入されるスライドレールとしての内筒２０３とによって構成され、内筒２０３内に、一対の勾玉形状板４０ｃ，４０ｄからなる保持部４が挿着される。尚、前記勾玉形状板４０ｃ，４０ｄは、上述した実施例に示されるものと同様の作用を有するものである。特に上に位置する勾玉形状板４０ｃは、重力と反対側の方向に固定されるために設けられるものである。また、前記内筒２０３には、前記勾玉形状板４０ｃ、４０ｄの噛合部４８が噛合するロック穴３５が形成される。
【００５６】
この実施例７において、ステッキ２００の握り部２０１と、外筒２０２と、前記勾玉形状板４０ｃ、４０ｄとは、連結部としての固定アーム６０によって連結される。固定アーム６０と外筒２０２とは固定部６１を介して、固定アームと前記勾玉形状板４０ｃ、４０ｄとは、それぞれ固定保持部５２ｃ，５２ｄとを介して固定されるものである。また、前記勾玉形状板４０ｃ，４０ｄは、移動ロッド６２によって固定／解除されるもので、前記移動ロッド６２と移動支点４５ｃ，４５ｄによって連結されるものである。また、前記移動ロッド６２は、前記握り部２０１の近傍に配置されたスイッチ部２０４によって上下に移動されるものである。このスイッチ部２０４は、握り部２０１に固定された移動支点２０５と前記移動ロッド６２を上下させる移動点２０６とによって構成される。通常は、図示しないバネによってロック状態の位置（上に上がった状態）に固定されており、前記スイッチ部２０４を指や手のひらで押すことによって、アンロック状態となり、ステッキの長さを変えることが可能となるものである。
【００５７】
以上の構成により、スイッチ部２０４を指や手のひらで押した場合、前記移動ロッド６２が下方に押されることから、前記勾玉形状板４０ｃ，４０ｄの移動支点４５，４５ｄが下方に押されることから、前記勾玉形状板４０ｃ，４０ｄは、前記勾玉形状板４０ｃ，４０ｄの固定保持部５２ｃ，５２ｄを支点として前記噛合部４８がロック穴３５から離脱方向に回転するため、アンロック状態となり、内筒２０３が外筒２０２に対して移動可能となるため、ステッキ２００の長さを調整することが可能となるものである。
【００５８】
また、ステッキ２００の長さを調整した後には、前記スイッチ部２０４から手を離すことによって、図示しないバネによって移動ロッド６２が上方に復帰するため、前記勾玉形状板４０ｃ，４０ｄが、前記勾玉形状板４０ｃ，４０ｄの固定保持部５２ｃ，５２ｄを支点として前記噛合部４８がロック穴３５に噛合する方向に回転するため、前記噛合部４８がロック穴３５に噛合してロック状態となり、内筒２０３が外筒２０２に対して固定されるため、ステッキ２００の長さが固定されるものである。
【実施例８】
【００５９】
図９に示す実施例８は、可動体２からスライドレール３内に延出するアーム５０の両側に保持部４を設けたことを特徴とするものである。この実施例８では、実施例１にかかる勾玉形状板４０，４０を前記アーム５０の両側に設けるもので、前記移動支点４５に配置される第１の回転ジョイント４５ａと、この回転ジョイント４５ａの近傍に位置して前記勾玉形状板４０，４０を回動自在に保持する第２の回転ジョイント４５ｂによって連結固定されるものである。また、前記スライドレール３の他方の側壁３２には、前記可動体２の移動方向に所定の間隔で形成された複数のロック穴３５が、前記勾玉形状板４０，４０に対応して移動方向に平行に設けられる。
【００６０】
これによって、勾玉形状板４０が薄い板状であっても、アーム５０の両側に配置するため、アーム５０及び可動体２を確実に固定させることができるものである。
【００６１】
尚、上述した実施例において、同一の箇所または同一の効果を奏する箇所には同一の符号を付してその説明を省略する。
【産業上の利用可能性】
【００６２】
本発明に係るスライドレールのロック機構は、上述したタブレットスタンド、ステッキの他に、フラットディスプレイスタンド、デジタルサイネージ壁面取り付け、ブックスタンド、スマートフォンスタンド、本棚、スタンディングディスク、カーテンフック、ブライドカーテン上下動固定具、キャリーバッグ、簡易エレベータ、突っ張り棒、工事用足場などへ応用することができるものである。
【００６３】
特に、上記実施例７に係るロック機構は、キャリーバッグ等の伸縮する持ち手にも使用することが可能である。
【符号の説明】
【００６４】
１  ロック機構
２  可動体
３  スライドレール
４  保持部
５  連結部
３０  移動空間
３１  一方の側壁
３２  他方の側壁
３３  アーム移動溝
３５  ロック穴
４０，４０ａ，４０ｂ  勾玉形状板
４１，４１ａ，４１ｂ  円形部
４２，４２ａ，４２ｂ  延出部
４３，４３ａ，４３ｂ  第１の接触部
４４，４４ａ，４４ｂ  第２の接触部
４５  移動支点
４５ａ  第１の回転ジョイント
４５ｂ  第２の回転ジョイント
４５ｃ，４５ｄ  移動支点
４６  保持孔
４７，４７ａ，４７ｂ  頭部
４８，４８ａ，４８ｂ  噛合部
４９  保持構造
４９ａ  回動部
４９ｂ  摩擦力を有する素材
５０，５０ａ，５０ｂ  アーム
５１  補助アーム
５２ａ，５２ｂ  アーム移動部
５２ｃ，５２ｄ  固定保持部
６０  固定アーム
６１  固定部
６２  移動ロッド
１００  タブレットスタンド
１０１  タブレット
１０２  タブレット保持部
１０３  支持部
１０４  傾き調整脚
１０５  調整凹部
１０６  後方底板
１０７  前方底板
２００  ステッキ
２０１  握り部
２０２  外筒
２０３  内筒
２０４  スイッチ部
【要約】
【課題】  本発明は、スライドレールの双方向に容易に移動可能であると同時に、可動体を所定の位置で容易にロックすることのできるスライドレールのロック機構を提供する。
【解決手段】  本発明は、可動体２と、該可動体２の所望の移動範囲に沿って配置されるスライドレール３と、該スライドレール３内に配置され該スライドレール３に沿って移動可能な保持部４と、前記可動体２と前記保持部４とを連結する連結部５とによって構成されるスライドレールのロック機構１において、スライドレール３のロック機構１として、略円形状の円形部４１と、この円形部４１から一方の側に屈曲しながら延出する延出部４２とによって構成される勾玉形状の勾玉形状板４０を使用することを特徴とするものである。
【選択図】  図１【図１】
0005859704.tif 000002
【図２】
0005859704.tif 000003
【図３】
0005859704.tif 000004
【図４】
0005859704.tif 000005
【図５】
0005859704.tif 000006
【図６】
0005859704.tif 000007
【図７】
0005859704.tif 000008
【図８】
0005859704.tif 000009
【図９】
0005859704.tif 000010